(57)【要約】【課題】  動く物のエンジンとして太陽光線そっくりの電池を開発してその太陽電池を利用して窒素酸化物を削減し石油の高騰に耐え得る太陽電池自動車。【解決手段】  紫外線をスーパーコンピュウ−ターから選びその映像を記憶装置の３、５吋に写し取りこの映像を紫外線のコピーをスーパージャイロのメーザーで水銀灯投光器灯に発射させるので、元々太陽灯は紫外線を持っているので紫外線は太陽灯の紫外線と共鳴。共振作用を起こします、するととりわけ強い力で新陳代射を起こし、太陽の元である紫外線は太陽電池をどんどん活性化させ［ＭＯ］でコピーを発射させるだけで太陽電池を増幅させます。【選択図】図３
2009170878.tif 000002
【特許請求の範囲】
【請求項１】
本発明は、減速器（８）で太陽光線発生器（１３）と発電機（７）を同列に並べ各軸の中心に歯車を設け蓄電池（６）より減速器（８）に電気を流すとこの三っは同時回転を起こし太陽電池（１）を内蔵する太陽光線発生器（１３）は内部中央の水銀灯（２）を照らし光磁気記録（ＭＯ）（９）を紫外線発生レーザージャイロ（１１）で［図３］の水銀灯（２）を照射する半導体油圧発電機の自動車のエンジン。
【請求項２】
本発明は、減速器（８）で太陽光線発生器（１３）と発電機（７）を同列に並べ各軸の中心に歯車を設け蓄電池（６）より減速器（８）に電気を流すとこの三っは同時回転を起こし太陽電池（１）を内蔵する太陽光線発生器（１３）は内部中央の水銀灯（２）を照らし光磁気記録（ＭＯ）（９）を紫外線発生レーザージャイロ（１１）で［図３］の水銀灯（２）を照射する半導体油圧発電機の船舶のエンジン。
【請求項３】
本発明は、減速器（８）で太陽光線発生器（１３）と発電機（７）を同列に並べ各軸の中心に歯車を設け蓄電池（６）より減速器（８）に電気を流すとこの三っは同時回転を起こし太陽電池（１）を内蔵する太陽光線発生器（１３）は内部中央の水銀灯（２）を照らし光磁気記録（ＭＯ）（９）を紫外線発生レーザージャイロ（１１）で［図３］の水銀灯（２）を照射する半導体油圧発電機の飛行機の補助エンジン。
【請求項４】
本発明は、減速器（８）で太陽光線発生器（１３）と発電機（７）を同列に並べ各軸の中心に歯車を設け蓄電池（６）より減速器（８）に電気を流すとこの三っは同時回転を起こし太陽電池（１）を内蔵する太陽光線発生器（１３）は内部中央の水銀灯（２）を照らし光磁気記録（ＭＯ）（９）を紫外線発生レーザージャイロ（１１）で［図３］の水銀灯（２）を照射する半導体油圧発電機の物を動かすためのエンジン。
【請求項５】
本発明は、減速器（８）で太陽光線発生器（１３）と発電機（７）を同列に並べ各軸の中心に歯車を設け蓄電池（６）より減速器（８）に電気を流すとこの三っは同時回転を起こし太陽電池（１）を内蔵する太陽光線発生器（１３）は内部中央の水銀灯（２）を照らし光磁気記録（ＭＯ）（９）を紫外線発生レーザージャイロ（１１）で［図３］の水銀灯（２）を照射する半導体油圧発電機の宇宙で人工衛星の補助となるエンジン。
【発明の詳細な説明】
【技術分野】
【０００１】  本発明は，オイルモーターの減速器８で太陽光線発生器１３と発電機７を同列に並べ各軸の中心に歯車を設け蓄電池６よりオイルモーター８に電気を流すとこの三っは同回転を起こし太陽電池１を内蔵する太陽光線発生器１３内部中央２の水銀灯を照らせる光磁器記録（ＭＯ）を紫外線発生レーザージャイロ１１で水銀灯２に向け発射する半導体油圧発電機に関するものである。
【背景技術】
【０００２】従来、発電にこのような発電方法はなかった。
【発明の開示】
【発明が解決しようとする課題】
【０００３】  イ・  紫外線を作れる光磁気記録（ＭＯ）を作れる３、５吋の記録媒体が欲しかった。
ロ・  レーザージャイロによる太陽光線を作り出す装置が欲しかった。
ハ・  人工太陽エンジンから太陽光線エンジンを生み出す装置（ＭＯ）が欲しかった。
本発明は、これらの問題点解決するためになされたものである。
【問題を解決するための手段】
本発明は、これらの問題点解決するためになされたものである。
【問題を解決するための手段】
【０００４】  太陽光線の映像をコンピューターから写し取り［ＭＯ］は太陽光線から写し取った太陽光線の映像であるので、この［ＭＯ］の磁気記憶装置をレーザーで振動数が光及び光に近い周波数にあるメーザーで水銀灯に向け発射すると（ＭＯ）を３、５吋の映像は太陽光線は太陽光線そのものであるから、［ＭＯ］を太陽灯に向けメーザーで水銀灯に向け発射すると水銀灯の紫外線が生まれる。［図２］の太陽光線発生器１３の低部脇に置き、［図３］の紫外線発生レーザージャイロ１１で［図３］の太陽電池１の水銀灯投光器灯２太陽電池中央の下（太陽光線発生器）１３光磁気記録（ＭＯ）で記録された紫外線の映像を紫外線発射灯（９）から発射される紫外線をスーパージャイロの１２丸凸９から発射するので、太陽電池は紫外線をどんどん吸収する。水銀灯投光器灯水銀灯２は太陽光線に似た光（殊に紫外線を含む意味）を発する投光器灯は光磁気記録［ＭＯ］から発射する紫外線のコピーと共鳴・共振作用が起こります。すると紫外線はとりわけ強い力で太陽光線として真昼の晴天と見て太陽電池に太陽光線のコピーを送り込みます。（水銀灯は劣化するから水銀灯２の上両方に拳が入る大きさに取っ手を付けて置き観音開きにしてこのアフターに備えこの取っ手を開いて太陽灯（球）を取り替える）。
【発明を実施するための最良の形態】
【０００５】  以下、▲１▼本発明の、オイルモーターの減速器８で太陽光線発生器（１３）と発電機（７）を同列に並べ各軸の中心に歯車を設け蓄電池６より電気を流すとこの三っは同回転を起こし太陽電池１で太陽光線発生器内部中央の水銀灯２を照らせる光磁器記録［ＭＯ］を紫外線発生レーザージャイロ１１で水銀灯２に向け発射する［半導体油圧発電機］であります。
発明の構造を説明します。
▲２▼部品の形状は太陽電池１中心に水銀灯２を設け、この下、光磁気記録（ＭＯ）発射筒の（ＭＯ）から紫外線を紫外線発生レーザージャイロ１１から発射させ出来た電気で蓄電池６に蓄えこの電池の電気を油圧ブレーキの減速器８に伝え太陽光線発生器１３で（ＭＯ）の太陽電池を活性化させ発電を起こす発電機７に伝え連続して電気を生産する。
▲３▼次に「本発明を実施するにあたって図３の太陽電池１を利用してメーザー１２でマイクロ波を増幅する装置を使用するときは」（ＭＯ）をレーザージャイロの紫外線レーザージャイロ１１のメーザースコープに与え（ＭＯ）を水銀灯投光器灯２に向けて発射する。
▲４▼次にこの「この発明は以上のような構造でこれを使用するときは」［図２］オイルモーター減速器８と脇に太陽光線発生器１３その脇に発電機７を同列に並べこの三つの各個の中心軸に歯車を設け、蓄電池６から電流を流すとこの三つは歯車で繋がっているので右回転を起こし右左右と回転し［図２］太陽光線１３は［図３］へと移行します。［図３］水銀灯投光器灯２はアーク灯の一種で、その光は強い紫外線を含むので、光学器械の試験用や写真用・医療衛生用品等に使われています、水銀灯投光器灯２はＭＯでスーパーコンピューターコピーから映し出された映像の紫外線を本物と思い込み紫外線をどんどん出して自分が水銀灯だから紫外線を出し太陽電池の隅々まで吸収して万反の太陽電池となる。（ＭＯ）を直にレーザーのメーザーで見せられるので［図３］の光磁気記録９と紫外線レーザージャイロスコープ１１から太陽電池中央の水銀灯投光器２にメーザーを照射するから太陽電池は本物の太陽光線と思い込み紫外線を太陽電池に放出して万反に吸収し太陽電池となり（半導体油圧発電機）となります。（ＭＯ）を詳しく説明します、ＭＯとは記憶装置のことであり磁気に埋め込むから光磁気記録と言います、長さが３、５吋ありますが（粍にして長さが６、５センチあります）３、５吋と言い、店で買うと１０枚入り１、０００円です。
▲５▼この発明を実施するにあたって、［図２］の太陽光線発生器１３を減速器８や発電機７を同列に並べ中心に歯車を設けているので同じ回転を起こし［図３］のスーパージャイロ１２で［ＭＯ］を発射するので太陽光線のコピーを発射します減速器８に［図２］の太陽光線発生器１３と発電機７は出来た電気を蓄電池に蓄える。之は発明の中核であります。
「第２実施の形態」、科学者は太陽光線を作るのに、紫外線さえあればと云うのを良く聞きます、でも、紫外線を大量に含む紫外線投光器筒２は光が眩い光線のレーザーのメーザーで照射すれば、太陽電池は太陽光線と勘違いしてどんどん紫外線を吸収して太陽電池を内外共に電池を溜めます。太陽電池の細い穴は一度は表面を照らし穴から出た光線は反射鏡で裏面までも照らして表裏共蓄電出来ます。［図３］の紫外線投光器２に太陽電池１光磁気記録（ＭＯ）発射筒９反射鏡１０に内外を通す細い穴数カ所４があります。
【発明の効果】
【０００６】  世界人民は皆石油の高騰に苦しんでいるが、之は取りも直さず石油による為である。
【図面の簡単な説明】
【０００７】
【図１】  本発明の斜視図である。
【図２】  本発明の使用状態を示す斜視図である。
【図３】  本発明の他の実施例を示す斜視図である。
【符号の説明】
１・太陽電池。（別名シリコンとも云う）。
２・水銀灯光器灯。（交換に両方取っ手を設け観音開きにする）。
３・円形に組んだ太陽電池。
４・内外を照らす細い穴。
５・防護ステンレス（太陽電池を守る為のステンレス）。
６・蓄電池。
７・発電機。
８・減速器。
９・光磁気記録（ＭＯ）。３、５吋フロッピー
１０・反射鏡。（太陽電池表裏を照らす為裏側を照らす為。）
１１・紫外線発生装置（レーザージャイロ）。
１２・紫外線発生装置のメーザー発射筒。（ＭＯ）メーザー発射筒。
１３・太陽光線発生器。［図３］参照。（常時運転に利用）。
【図１】
2009170878.tif 000003
【図２】
2009170878.tif 000004
【図３】
2009170878.tif 000005
【手続補正書】
【提出日】平成20年10月30日(2008.10.30)
【手続補正１】
【補正対象書類名】明細書
【補正対象項目名】全文
【補正方法】変更
【補正の内容】
【発明の詳細な説明】
【技術分野】
【０００１】  本発明は，油圧の減速器８で太陽光線発生器１３と発電機７を同列に並べ各軸の中心に歯車を設け蓄電池６より油圧減速器８に電気を流すとこの三っは同回転を起こし太陽電池１を内蔵する太陽光線発生器１３内部中央２の水銀灯を照らせる光磁器記録（ＭＯ）を紫外線発生レーザージャイロ１１で水銀灯２に向け発射する半導体油圧発電機に関する。
【背景技術】
【０００２】従来、発電にこのような発電方法はなかった。
【発明の開示】
【発明が解決しようとする課題】
【０００３】  イ・  紫外線を作れる光磁気記録（ＭＯ）を作れる３、５吋の記録媒体が欲しかった。
ロ・  レーザージャイロによる太陽光線を作り出す装置が欲しかった。
ハ・  人工太陽エンジンから太陽光線エンジンを生み出す装置（ＭＯ）が欲しかった。
本発明は、これらの問題点解決するためになされたものである。
【問題を解決するための手段】
本発明は、これらの問題点解決するためになされたものである。
【問題を解決するための手段】
【０００４】  太陽光線の映像をコンピューターから写し取り〔ＭＯ〕は太陽光線から写し取った太陽光線の映像であるので、この〔ＭＯ〕の磁気記憶装置をレーザーで振動数が光及び光に近い周波数にあるメーザーで水銀灯に向け発射すると（ＭＯ）を３、５吋の映像は太陽光線は太陽光線そのものであるから、〔ＭＯ〕を太陽灯に向けメーザーで水銀灯に向け発射すると水銀灯の紫外線が生まれる。〔図２〕の太陽光線発生器１３の低部脇に置き、〔図３〕の紫外線発生レーザージャイロ１１で〔図３〕の太陽電池１の水銀灯投光器灯２太陽電池中央の下（太陽光線発生器）１３光磁気記録（ＭＯ）で記録された紫外線の映像を紫外線発射灯（９）から発射される紫外線をスーパージャイロの１２丸凸９から発射するので、太陽電池は紫外線をどんどん吸収する。水銀灯投光器灯水銀灯２は太陽光線に似た光（殊に紫外線を含む意味）を発する投光器灯は光磁気記録（ＭＯ）から発射する紫外線のコピーと共鳴・共振作用が起こると共に相乗効果が生まれます。すると紫外線はとりわけ強い力で太陽光線として真昼の晴天と見て太陽電池に太陽光線のコピーを送り込みます。（水銀灯は劣化するから水銀灯２の上両方に拳が入る大きさに取っ手を付けて置き観音開きにしてこのアフターに備えこの取っ手を開いて太陽灯（球）を取り替える）。
【発明を実施するための最良の形態】
【０００５】  以下、▲１▼本発明の、オイルモーターの減速器８で太陽光線発生器（１３）と発電機（７）を同列に並べ各軸の中心に歯車を設け蓄電池６より電気を流すとこの三っは同回転を起こし太陽電池１で太陽光線発生器内部中央の水銀灯２を照らせる光磁器記録（ＭＯ）を紫外線発生レーザージャイロ１１で水銀灯２に向け発射する〔半導体油圧発電機〕であります。
発明の構造を説明します。
▲２▼部品の形状は太陽電池１中心に水銀灯２を設け、この下、光磁気記録（ＭＯ）発射筒の（ＭＯ）から紫外線を紫外線発生レーザージャイロ１１から発射させ出来た電気で蓄電池６に蓄えこの電池の電気を油圧ブレーキの減速器８に伝え太陽光線発生器１３で（ＭＯ）の太陽電池を活性化させ発電を起こす発電機７に伝え連続して電気を生産する。
▲３▼次に「本発明を実施するにあたって図３の太陽電池１を利用してメーザー１２でマイクロ波を増幅する装置を使用するときは」（ＭＯ）をレーザージャイロの紫外線レーザージャイロ１１のメーザースコープに与え（ＭＯ）を水銀灯投光器灯２に向けて発射する。
▲４▼次にこの「この発明は以上のような構造でこれを使用するときは」〔図２〕オイルモーター減速器８と脇に太陽光線発生器１３その脇に発電機７を同列に並べこの三つの各個の中心軸に歯車を設け、蓄電池６から電流を流すとこの三つは歯車で繋がっているので右回転を起こし右左右と回転し〔図２〕太陽光線１３は〔図３〕へと移行します。〔図３〕水銀灯投光器灯２はアーク灯の一種で、その光は強い紫外線を含むので、光学器械の試験用や写真用・医療衛生用品等に使われています、水銀灯投光器灯２はＭＯでスーパーコンピューターコピーから映し出された映像の紫外線を本物と思い込み紫外線をどんどん出して自分が水銀灯だから紫外線を出し太陽電池の隅々まで吸収して万反の太陽電池となる。（ＭＯ）を直にレーザーのメーザーで見せられるので〔図３〕の光磁気記録９と紫外線レーザージャイロスコープ１１から太陽電池中央の水銀灯投光器２にメーザーを照射するから太陽電池は本物の太陽光線と思い込み紫外線を太陽電池に放出して万反に吸収し太陽電池となり（半導体油圧発電機）となります。（ＭＯ）を詳しく説明します、ＭＯとは記憶装置のことであり磁気に埋め込むから光磁気記録と言います、長さが３、５吋ありますが（粍にして長さが６、５センチあります）３、５吋と言い、店で買うと１０枚入り１、０００円です。
▲５▼この発明を実施するにあたって、〔図２〕の太陽光線発生１３を減速器８や発電機７を同列に並べ中心に歯車を設けているので同じ回転を起こし〔図３〕のスーパージャイロ１２で（ＭＯ）を発射するので太陽光線のコピーを発射します減速器８に〔図２〕の太陽光線発生器１３と発電機７は出来た電気を蓄電池に蓄える。之は発明の中核であります。
「第２実施の形態」、科学者は太陽光線を作るのに、紫外線さえあればと云うのを良く聞きます、でも、紫外線を大量に含む紫外線投光器筒２は光が眩い光線のレーザーのメーザーで照射すれば、太陽電池は太陽光線と勘違いしてどんどん紫外線を吸収して太陽電池を内外共に電池を溜めます。太陽電池の細い穴は一度は表面を照らし穴から出た光線は反射鏡で裏面までも照らして表裏共蓄電出来ます。〔図３〕の紫外線投光器２に太陽電池１光磁気記録（ＭＯ）発射筒９反射鏡１０に内外を通す細い穴数カ所４があります。
【発明の効果】
【０００６】  世界人民は皆石油の高騰に苦しんでいるが、之は取りも直さず石油による為である。
【図面の簡単な説明】
【０００７】
【図１】  本発明の斜視図である。
【図２】  本発明の使用状態を示す斜視図である。
【図３】  本発明の他の実施例を示す斜視図である。
【符号の説明】
１・太陽電池。（別名シリコンとも云う）。
２・水銀灯光器灯。（交換に両方取っ手を設け観音開きにする）。
３・円形に組んだ太陽電池。
４・内外を照らす細い穴。
５・防護ステンレス（太陽電池を守る為のステンレス）。
６・蓄電池。
７・発電機。
８・減速器。
９・光磁気記録（ＭＯ）。３、５吋フロッピー
１０・反射鏡。（太陽電池表裏を照らす為裏側を照らす為。）
１１・紫外線発生装置（１９８８年商標名レーザーディスク既に存在）。
１２・紫外線発生装置のメーザー発射筒。（ＭＯ）メーザー発射筒。
１３・太陽光線発生器〔図２〕参照。（常時運転に利用）。